【手続補正書】
【提出日】平成26年9月22日(2014.9.22)
【手続補正１】
【補正対象書類名】明細書
【補正対象項目名】００１２
【補正方法】変更
【補正の内容】
【００１２】
前記制御部は、前記燃料電池の発電停止後の経過時間が第１所定経過時間（例えば、実施形態における所定経過時間ＴＭＳＯＡＫＥＲまたは第１所定経過時間Ｔ１）前に、前記燃料電池の総電圧の変化幅が総電圧変化幅閾値（例えば、実施形態における総電圧変化幅閾値Ｖｆｃｖａ）を超えたときに、前記燃料電池システムの流路封止の漏れ異常と判定する構成としてもよい。
燃料電池の総電圧が総電圧変化幅閾値を超えた場合には、燃料電池の総電圧の変化幅が大きくなっているので、燃料電池の総電圧が上昇に転じたと判断できる。そして、この現象が第１所定経過時間前に発生した場合には、燃料電池システムの流路封止に漏れ異常があると判定することができる。
【手続補正２】
【補正対象書類名】明細書
【補正対象項目名】００１３
【補正方法】変更
【補正の内容】
【００１３】
前記制御部は、前記燃料電池の発電停止後の経過時間が第２所定経過時間（例えば、実施形態における所定経過時間ＴＭＳＯＡＫＥＲまたは第２所定経過時間Ｔ２）前に、前記アノード流路の圧力および前記カソード流路の圧力のうち少なくとも一方が圧力低下から圧力上昇に転じたときに、前記燃料電池システムの流路封止の漏れ異常と判定する構成としてもよい。
アノード流路の圧力および前記カソード流路の圧力のうち少なくとも一方が圧力低下から圧力上昇に転じる現象が、第２所定経過時間前に発生したと判断された場合には、燃料電池システムの流路封止に漏れ異常があると判定することができる。
【手続補正３】
【補正対象書類名】明細書
【補正対象項目名】００１４
【補正方法】変更
【補正の内容】
【００１４】
前記制御部は、前記燃料電池の発電停止後の経過時間が第３所定経過時間（例えば、実施形態における所定経過時間ＴＭＳＯＡＫＥＲまたは第３所定経過時間Ｔ３）前に、前記アノード流路の酸素濃度の変化幅および前記カソード流路の酸素濃度の変化幅のうち少なくとも一方が酸素濃度変化幅閾値（例えば、実施形態におけるアノード側酸素濃度変化幅閾値Ｏ２ａｎｖａまたはカソード側酸素濃度変化幅閾値Ｏ２ｃａｖａ）を超えたときに、前記燃料電池システムの流路封止の漏れ異常と判定する構成としてもよい。
アノード流路の酸素濃度の変化幅およびカソード流路の酸素濃度の変化幅のうち少なくとも一方が酸素濃度変化幅閾値を超えた場合には、酸素濃度の変化幅が大きくなっているので、酸素濃度が急上昇したと判断できる。そして、この現象が第３所定経過時間前に発生した場合には、各流路封止の漏れ異常があると判定する。
【手続補正４】
【補正対象書類名】明細書
【補正対象項目名】００１５
【補正方法】変更
【補正の内容】
【００１５】
前記制御部は、前記燃料電池の発電停止後の経過時間が第３所定経過時間（例えば、実施形態における所定経過時間ＴＭＳＯＡＫＥＲまたは第３所定経過時間Ｔ３）前に、前記アノード流路の酸素濃度および前記カソード流路の酸素濃度のうち少なくとも一方が酸素濃度閾値を超えたときに、前記燃料電池システムの流路封止の漏れ異常と判定する構成としてもよい。
アノード流路の酸素濃度およびカソード流路の酸素濃度のうち少なくとも一方が酸素濃度閾値を超えた場合には、酸素濃度の絶対値が大きくなっているので、酸素濃度が急上昇したと判断できる。そして、この現象が第３所定経過時間前に発生した場合には、各流路封止の漏れ異常があると判定する。
【手続補正５】
【補正対象書類名】明細書
【補正対象項目名】００４０
【補正方法】変更
【補正の内容】
【００４０】
図２に戻り、所定経過時間ＴＭＳＯＡＫＥＲの後には、アノード流路２１において水素ガスが少なくなり酸素ガスが多くなる。これにより、アノード流路２１およびカソード流路２２ともに酸素ガスが多くなる。そのため、所定時間経過後の燃料電池の次回起動は、最初のガス状態として両極に空気が豊富（酸素リッチ）に導入されている状態で起動する（エア・エア起動する）ことになる。
【手続補正６】
【補正対象書類名】明細書
【補正対象項目名】００４１
【補正方法】変更
【補正の内容】
【００４１】
上述した現象１〜３は、封止弁の僅かなリークによりアノード流路２１およびカソード流路２２に空気が流入することで発生する。なお封止性能が正常な封止弁でも、不可避的に僅かなリークが存在するので、上述した現象１〜３が発生する。アノード側およびカソード側における封止弁の封止性能が正常な場合、図５の第１所定経過時間Ｔ１、図３の第２所定経過時間Ｔ２、並びに図４の第３所定経過時間Ｔ３は、ほぼ同じ値（所定経過時間ＴＭＳＯＡＫＥＲ）になる。なお、アノード流路２１の水素ガスが完全になくなってから酸素濃度が顕著に上昇すると考えられるので、第３所定経過時間Ｔ３は、第１所定経過時間Ｔ１および第２所定経過時間Ｔ２より長くなる場合もある。
これに対して、アノード側およびカソード側における封止弁の封止性能に不均衡があると、各所定経過時間は異なる値になる。例えば、アノード側の封止性能が大幅に低下すると、アノード流路２１の水素ガスが流出するため、総電圧の上昇（現象１）は発生せず、各流路の圧力上昇（現象２）および酸素濃度の急上昇（現象３）が先に発生する。この場合の第１所定経過時間Ｔ１は、第２所定経過時間Ｔ２および第３所定経過時間Ｔ３より長くなる。
【手続補正７】
【補正対象書類名】明細書
【補正対象項目名】００４２
【補正方法】変更
【補正の内容】
【００４２】
図６は燃料電池の発電停止後の経過時間とアノード流路のガス濃度との関係を示す模式的なグラフであり、図６（ａ）は封止弁の封止性能が正常の場合であり、図６（ｂ）は封止弁の封止性能が低下した場合である。なお図６（ａ）は、図２のグラフを模式的に示したものである。
図６（ａ）に示すように、燃料電池の発電停止後の経過時間（ソーク時間）が所定経過時間ＴＭＳＯＡＫＥＲより前のアノード流路２１は水素リッチな状態であるが、所定経過時間ＴＭＳＯＡＫＥＲより後のアノード流路２１は酸素リッチな状態になり、エア・エア起動となる。なお所定経過時間ＴＭＳＯＡＫＥＲは、封止性能が正常な封止弁によりエア・エア起動とならないように封止できる封止有効期間と言える。
【手続補正８】
【補正対象書類名】明細書
【補正対象項目名】００４３
【補正方法】変更
【補正の内容】
【００４３】
図６（ｂ）に示すように、封止弁の封止性能が低下してリークが大きくなると、アノード流路２１に多量の空気が流入し、空気中の酸素ガスが水素ガスと反応する。そのため、水素濃度が急低下する。また、アノード流路２１に酸素ガスが残存しやすくなるので、酸素濃度が急上昇する。そのため、アノード流路２１が酸素リッチになる時間は、図６（ａ）の所定経過時間ＴＭＳＯＡＫＥＲより短くなっている。この場合には、エア・エア起動となる回数が増加して、燃料電池の劣化が促進されることになる。そのため、所定経過時間ＴＭＳＯＡＫＥＲより前のソーク時間ＴＭＳＯＡＫにおいて、上述した現象１〜３が発生した場合には、封止弁の封止性能が低下した（漏れ異常がある）と判断することができる。
【手続補正９】
【補正対象書類名】明細書
【補正対象項目名】００４５
【補正方法】変更
【補正の内容】
【００４５】
次に、燃料電池の発電停止後の経過時間（ソーク時間）ＴＭＳＯＡＫを計測する（Ｓ１２）。ソーク時間の計測は、燃料電池が発電停止してから所定時間ごとに定期的に、タイマー４６の経過時間を読み取ることによって行う。
次に、各センサにより燃料電池の状態量を計測する（Ｓ１４）。具体的には、圧力センサ４１ａによりアノード流路２１内の圧力Ｐａｎを計測し、圧力センサ４１ｃによりカソード流路２２内の圧力Ｐｃａを計測する。また、電圧センサ４２により燃料電池１１の総電圧Ｖｆｃを計測する。さらに、酸素濃度センサ４３ａによりアノード流路２１内の酸素濃度Ｏ２ａｎを計測するとともに、酸素濃度センサ４３ｃによりカソード流路２２内の酸素濃度Ｏ２ｃａを計測する。
【手続補正１０】
【補正対象書類名】明細書
【補正対象項目名】００４９
【補正方法】変更
【補正の内容】
【００４９】
一方、Ｓ１８の判断がＹｅｓの場合は、上述した現象１〜３が発生したと判断できる。
ただし、流路封止が正常でも所定経過時間後には不可避的に現象１〜３が発生するのであるから、直ちに漏れ異常があると判定することはできない。そこでＳ２２に進み、現在のソーク時間ＴＭＳＯＡＫが、封止性能が正常な封止弁の所定経過時間ＴＭＳＯＡＫＥＲより短いか判断する。図６（ｂ）を用いて説明したように、所定経過時間ＴＭＳＯＡＫＥＲより前に現象１〜３が発生した場合には、封止弁の漏れ異常があると判断できる。そこで、Ｓ２２の判断がＹｅｓの場合はＳ２４に進み、各流路封止の漏れ異常（リーク故障）があると判定する。
【手続補正１１】
【補正対象書類名】明細書
【補正対象項目名】００５４
【補正方法】変更
【補正の内容】
【００５４】
図８は、燃料電池システムの停止温度と所定経過時間との関係を示すグラフである。所定経過時間ＴＭＳＯＡＫＥＲは、封止弁の封止性能が正常な場合に現象１〜３が発生するまでの時間であって、一定値である。ただし燃料電池の温度が高くなると、シール各部のガス透過性が高まるため、封止性能が低下する。この場合には、図６（ｂ）を用いて説明したように、現象１〜３が発生するまでの時間が短くなる。図８のグラフでは、燃料電池システムの停止温度が高くなるほど、ソーク中の燃料電池の温度が高くなるため、所定経過時間ＴＭＳＯＡＫＥＲが短くなっている。そこで、図８のグラフから算出した所定経過時間ＴＭＳＯＡＫＥＲを用いれば、漏れ異常の判定を精度よく行うことができる。なお、燃料電池システムの停止温度としては、燃料電池の発電停止時における冷媒温度を用いることができる。
【手続補正１２】
【補正対象書類名】明細書
【補正対象項目名】００６１
【補正方法】変更
【補正の内容】
【００６１】
また、実施形態では所定経過時間ＴＭＳＯＡＫＥＲより前のソーク時間ＴＭＳＯＡＫにおいて、上述した現象１〜３が発生した場合には、流路封止の漏れ異常があると判定した。これに対して、一律に所定経過時間ＴＭＳＯＡＫＥＲを使用することなく、現象１については第１所定経過時間Ｔ１を使用し、現象２については第２所定経過時間Ｔ２を使用し、現象３については第３所定経過時間Ｔ３を使用して判定してもよい。
【手続補正１３】
【補正対象書類名】図面
【補正対象項目名】図２
【補正方法】変更
【補正の内容】
【図２】
2013171737.tif 000001
【手続補正１４】
【補正対象書類名】図面
【補正対象項目名】図６
【補正方法】変更
【補正の内容】
【図６】
2013171737.tif 000002
【手続補正１５】
【補正対象書類名】図面
【補正対象項目名】図７
【補正方法】変更
【補正の内容】
【図７】
2013171737.tif 000003
【手続補正１６】
【補正対象書類名】図面
【補正対象項目名】図８
【補正方法】変更
【補正の内容】
【図８】
2013171737.tif 000004